(57)【要約】【課題】敷設の際の施工作業を効率よく行うことができる温調マットの折り畳み体を提供する。【解決手段】床暖房マット１は、基板Ａ〜Ｃがこの順に一列に配列され、基板Ｄ〜Ｆがこの順に、且つ基板Ａ〜Ｃに隣接するように一列に配列されてなる。床暖房マット１を折り畳む場合、基板Ｂ，Ｅの各配管露出部Ｌ内の温水配管３を溝２から引き出して該基板Ｂ，Ｅ同士を離隔させる。次いで、基板Ａ，Ｂ間及び基板Ｂ，Ｃ間を、それぞれ、これらの突き合わせ部ＴＳに沿って谷折りして、該基板Ａ，Ｃをそれぞれ基板Ｂ上に重ねると共に、基板Ｄ，Ｅ間及び基板Ｅ，Ｆ間を、それぞれ、これらの突き合わせ部ＴＳに沿って谷折りして、該基板Ｄ，Ｆをそれぞれ基板Ｅ上に重ね、１次折り畳み体とする。その後、１次折り畳み体の基板Ｂ，Ｅ間を、これらの間の温水配管３を曲げるようにして谷折りし、最終折り畳み体とする。【選択図】図１
2008215701.tif 000002
【特許請求の範囲】
【請求項１】
上面に配管収容用の溝が設けられた略方形状の６枚の基板と、
該溝に収容された温調用配管と、
各基板の上面を覆うように配置され、各基板の上面に付着された均熱シート材と
を有し、
該基板同士の突き合わせ部に沿って折り畳まれた温調マットの折り畳み体において、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
前記均熱シート材により、基板Ａ，Ｂ同士、基板Ｂ，Ｃ同士、基板Ｄ，Ｅ同士、及び基板Ｅ，Ｆ同士が連結され、基板Ａ，Ｄ同士、基板Ｃ，Ｆ同士及び基板Ｂ，Ｅ同士は非連結とされており、
基板Ａ，Ｂ間及び基板Ｂ，Ｃ間がそれぞれ谷折りされ、且つ基板Ｄ，Ｅ間及び基板Ｅ，Ｆ間がそれぞれ谷折りされることにより１次折り畳み体とされ、
この１次折り畳み体の基板Ｂ，Ｅ間が谷折りされて形成されたことを特徴とする温調マットの折り畳み体。
【請求項２】
請求項１において、前記基板Ｅに温調媒体供給用のヘッダーが設けられており、
該ヘッダーに連なる第１の温調用配管が、基板Ｅ，Ｂ，Ａに配設され、第２の温調用配管が、基板Ｅ，Ｂ，Ｃに配設され、第３の温調用配管が、基板Ｅ，Ｄに配設され、第４の温調用配管が、基板Ｅ，Ｆに配設されていることを特徴とする温調マットの折り畳み体。
【発明の詳細な説明】
【技術分野】
【０００１】
本発明は、建物の室の床、壁、天井等の暖房や冷房を行うための温調マットを折り畳んでなる折り畳み体に係り、特に、６枚の基板を有する温調マットの折り畳み体に関する。
【背景技術】
【０００２】
床暖房構造として、板状のベースの上面の溝に温水配管を引き回した温水マットがある。
【０００３】
この温水マットとして、折り重ねる如く折り畳んだものが実用化されている。温水マットを折り畳むことにより、運搬時等の取り扱い性が良好なものとなる。
【０００４】
この折り畳み体の従来例として、特開２００２−１０６８６５号公報の００３０段落及び図７に記載のものがある。
【０００５】
同号公報の平面放熱パネルは、ベース部分を構成する基体パネルがその横方向の中央付近で二分されており、且つこの二分された各基体パネルは、各々をその縦方向において一端側、中央側及び他端側に略三等分する位置で折り畳み可能となっている。この二分された基体パネル同士は、各々の縦方向の一端側において、ヒンジ部を介して屈曲可能に連結されている。
【０００６】
同号公報の平面放熱パネルを折り畳む場合には、この二分された各基体パネルを、各々の縦方向の前記他端側と中間側との間で山折りし、且つ該中間側と前記一端側との間で谷折りするか、あるいは該他端側と中間側との間で谷折りし、且つ該中間側と一端側との間で山折りすることにより、それぞれ３枚重ね状に折り畳み、各基体パネルの下面同士を対面させるようにヒンジ部を谷折りして、同号公報の図７に示される折り畳み体とする。
【特許文献１】特開２００２−１０６８６５号公報
【発明の開示】
【発明が解決しようとする課題】
【０００７】
上記特開２００２−１０６８６５号公報の折り畳み体にあっては、山折りと谷折りとが混在しているので、この折り畳み体を床上に置いて展開する場合には、展開の最初又は途中で、必ず、敷設後の平面放熱パネルの上面となる面が折り畳み体の上面に露呈することがある。
【０００８】
この場合、基体パネルの裏に接着剤又は粘着剤を塗るために、この基体パネルを広げた後で裏返して接着剤又は粘着剤を塗る必要があり、施工作業が煩雑となる。さらには、このように基体パネルを広げた後でこの基体パネルを裏返す際に、基体パネルの折り部を跨いで貼り付けられた均熱シート材に応力が掛かって、該均熱シート材に亀裂が生じたり、該折り部で接続されている温調配管に応力が掛かって、該温調配管が引っ張られたり脱落したりするおそれがあった。
【０００９】
本発明は、このような従来技術の問題点を解消し、敷設の際の施工作業を効率よく行うことができる温調マットの折り畳み体を提供することを目的とする。
【課題を解決するための手段】
【００１０】
請求項１の温調マットの折り畳み体は、上面に配管収容用の溝が設けられた略方形状の６枚の基板と、該溝に収容された温調用配管と、各基板の上面を覆うように配置され、各基板の上面に付着された均熱シート材とを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、前記均熱シート材により、基板Ａ，Ｂ同士、基板Ｂ，Ｃ同士、基板Ｄ，Ｅ同士、及び基板Ｅ，Ｆ同士が連結され、基板Ａ，Ｄ同士、基板Ｃ，Ｆ同士及び基板Ｂ，Ｅ同士は非連結とされており、基板Ａ，Ｂ間及び基板Ｂ，Ｃ間がそれぞれ谷折りされ、且つ基板Ｄ，Ｅ間及び基板Ｅ，Ｆ間がそれぞれ谷折りされることにより１次折り畳み体とされ、この１次折り畳み体の基板Ｂ，Ｅ間が谷折りされて形成されたことを特徴とするものである。
【００１１】
請求項２の温調マットの折り畳み体は、請求項１において、前記基板Ｅに温調媒体供給用のヘッダーが設けられており、該ヘッダーに連なる第１の温調用配管が、基板Ｅ，Ｂ，Ａに配設され、第２の温調用配管が、基板Ｅ，Ｂ，Ｃに配設され、第３の温調用配管が、基板Ｅ，Ｄに配設され、第４の温調用配管が、基板Ｅ，Ｆに配設されていることを特徴とするものである。
【発明の効果】
【００１２】
本発明では、６枚の基板Ａ〜ＦのうちＡ〜Ｃが一列に配列され、これに隣接してＤ〜Ｆが一列に配列されている。そして、Ａ，Ｂ間、Ｂ，Ｃ間、Ｄ，Ｅ間及びＥ，Ｆ間が谷折りされて１次折り畳み体とされ、Ｂ，Ｅ間が谷折りされて最終折り畳み形状の折り畳み体とされている。
【００１３】
この折り畳み体を施工現場に搬入し、基板Ｅが最下層となるように床上に置き、基板Ａ，Ｂ，Ｃの３枚重ねのものを基板Ｂが床上に重なるように広げる。その後、基板Ａ，Ｃを基板Ｂ上から広げると共に、基板Ｄ，Ｆを基板Ｅ上から広げる。これにより、全ての基板Ａ〜Ｆが床上に敷設される。
【００１４】
この基板の展開に際しては、全て谷折りを解く方向に基板を広げるので、例えば各基板の裏に接着材又は粘着材を塗る度に各基板を広げるようにして施工することができる。これにより、温調マットの敷設作業を効率よく行うことが可能となる。
【００１５】
本発明においては、基板Ｅに温調媒体供給用のヘッダーを設けると共に、このヘッダーに連なる第１の温調用配管を基板Ｅ，Ｂ，Ａに配設し、第２の温調用配管を基板Ｅ，Ｂ，Ｃに配設し、第３の温調用配管を基板Ｅ，Ｄに配設し、第４の温調用配管を基板Ｅ，Ｆに配設した構成とすることにより、各温調用配管の引き回しを容易に行うことができると共に、基板Ａ〜Ｆの全体にわたって温度を略均等にすることができる。
【００１６】
なお、本発明においては、この第１〜第４の温調用配管は、それぞれ、１系統の配管によって構成されてもよく、２系統以上の配管によって構成されてもよい。
【発明を実施するための最良の形態】
【００１７】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。
【００１８】
［実施の形態に係る温調マットの折り畳み体としての床暖房マット１の折り畳み体］
第１図は実施の形態に係る温調マットの折り畳み体としての床暖房マット１の折り畳み体の斜視図、第２図は第１図のII方向（紙面の奥側）から見た床暖房マット１の斜視図、第３図はこの床暖房マット１の展開時の斜視図、第４図はこの展開した床暖房マット１の上面図、第５図はこの展開した床暖房マット１の下面図、第６図は第５図のVI−VI線に沿う断面図、第７図はこの床暖房マット１の上面の中央付近の拡大図、第８図は、温水配管３を配管収容用溝２から引き出した状態における、床暖房マット１の上面の中央付近の拡大図、第９図は第４図のIX部分の拡大図、第１０図は第９図のＸ−Ｘ線に沿う断面図、第１１図〜第１５図はそれぞれこの床暖房マット１の折り畳み途中時の斜視図である。
【００１９】
なお、第１０図（ａ）は基板Ａ，Ｂ同士を展開した状態を示し、第１０図（ｂ）は基板Ａ，Ｂ間を谷折りする途中の状態を示し、第１０図（ｃ）は基板Ａ，Ｂ間を谷折りした後の状態を示している。
【００２０】
第４図、第７図、第８図及び第９図では均熱シート材の図示が省略されている。また、第９図では、温水配管の図示も省略されている。
【００２１】
第１５図は、第１４図のXV側から見た床暖房マット１の折り畳み途中時の斜視図である。
【００２２】
この床暖房マット１は、略長方形状の６枚の基板Ａ〜Ｆと、各基板Ａ〜Ｆの上面に設けられた溝２に配材された温水配管３と、該温水配管３が連なるヘッダー４と、各基板Ａ〜Ｆの上面を覆うように配置され、各基板Ａ〜Ｆの上面に付着された均熱シート材５，６等を備えている。
【００２３】
この実施の形態では、基板Ｂ，Ｅは、互いの長辺の長さ及び互いの短辺の長さがそれぞれ略等しいものとなっている。また、基板Ａ，Ｃ，Ｄ，Ｆも、互いの長辺の長さ及び互いの短辺の長さがそれぞれ略等しいものとなっている。これらの基板Ａ，Ｃ，Ｄ，Ｆの長辺の長さは、基板Ｂ，Ｅの短辺の長さと略等しくなっている。この床暖房マット１においては、各基板Ａ，Ｃ，Ｄ，Ｆの短辺の長さは、基板Ｂ，Ｅの長辺の長さの半分よりも短い。ただし、本発明においては、各基板Ａ，Ｃ，Ｄ，Ｆの短辺の長さは、基板Ｂ，Ｅの長辺の長さの半分よりも長くてもよい。
【００２４】
第３〜５図の通り、基板Ａ〜Ｃがこの順に一列に配列され、基板Ｄ〜Ｆがこの順に、且つ該基板Ａ〜Ｃに隣接するように一列に配列されている。
【００２５】
基板Ａは、その長辺を基板Ｂの一方の短辺に突き合わせるように配置され、基板Ｃは、その長辺を基板Ｂの他方の短辺に突き合わせるようにして配列されている。また、基板Ｄは、その長辺を基板Ｅの一方の短辺に突き合わせるように配置され、基板Ｆは、その長辺を基板Ｅの他方の短辺に突き合わせるようにして配列されている。基板Ａ〜Ｃの列と基板Ｄ〜Ｆの列との間では、基板Ａ，Ｄが互いの短辺同士を突き合わせるようにして隣接し、基板Ｂ，Ｅが互いの長辺同士を突き合わせるようにして隣接し、基板Ｃ，Ｆが互いの短辺同士を突き合わせるようにして隣接している。
【００２６】
符号ＴＳは、各基板Ａ，Ｃ，Ｄ，Ｆと基板Ｂ，Ｅとの突き合わせ部を示し、符号ＴＬは、基板Ａ〜Ｃの列と基板Ｄ〜Ｆの列との突き合わせ部を示している。
【００２７】
この実施の形態では、基板Ｂ，Ｅは、それぞれ、複数枚（この実施の形態では７枚）の帯状の盤体１０〜１６と、複数本（この実施の形態では６本）の小根太３０とを、各々の長手方向を各基板Ｂ，Ｅの短辺方向として、各基板Ｂ，Ｅの長辺方向に交互に配列した如き構成となっている。
【００２８】
また、基板Ａ，Ｃ，Ｄ，Ｆは、それぞれ、複数枚（この実施の形態では３枚）の帯状の盤体１７〜１９と、複数本（この実施の形態では２本）の小根太３０とを、各々の長手方向を各基板Ａ，Ｃ，Ｄ，Ｆの長辺方向として、各基板Ａ，Ｃ，Ｄ，Ｆの短辺方向に交互に配列した如き構成となっている。
【００２９】
各盤体１０〜１９は、各々の長側辺を隣接する小根太３０に突き合わせるようにして配置されている。
【００３０】
基板Ｂの盤体１２，１３同士の間の小根太３０’を除いて、各小根太３０の長さは、各盤体１０〜１９の長さよりも短い。
【００３１】
第４，５図の通り、基板Ｂ，Ｅにおいては、盤体１０，１１同士の間、盤体１２，１３同士の間（基板Ｂを除く）及び盤体１４，１５同士の間の各小根太３０は、それぞれ、一端を各盤体１０〜１６の一端に揃えるようにして配置されている。また、盤体１１，１２同士の間、盤体１３，１４同士の間及び盤体１５，１６同士の間の各小根太３０は、それぞれ、他端を各盤体１０〜１６の他端に揃えるようにして配置されている。
【００３２】
基板Ａ，Ｃ，Ｄ，Ｆにおいては、盤体１７，１８同士の間の小根太３０は、それぞれ、一端を該盤体１７，１８の一端に揃えるようにして配置され、盤体１８，１９同士の間の小根太３０は、それぞれ、他端を該盤体１７，１８の他端に揃えるようにして配置されている。
【００３３】
基板Ｅの盤体１０，１１同士、盤体１２，１３同士及び盤体１４，１５同士、基板Ｂの盤体１０，１１同士及び盤体１４，１５同士、並びに各基板Ａ，Ｃ，Ｄ，Ｆの盤体１７，１８同士は、各々の間の小根太３０の前記他端側を回り込むように形成された連結部３１によって連結されている。また、各基板Ｂ，Ｅの盤体１１，１２同士、盤体１３，１４同士及び盤体１５，１６同士、並びに各基板Ａ，Ｃ，Ｄ，Ｆの盤体１８，１９同士は、各々の間の小根太３０の前記一端側を回り込むように形成された連結部３１によって連結されている。
【００３４】
この実施の形態では、基板Ｂの盤体１２，１３同士の間の小根太３０’は、該盤体１２，１３と同じ長さとなっており、この基板Ｂの盤体１２，１３同士の間には連結部３１は存在しない。
【００３５】
各連結部３１の小根太３０と反対側には、小小根太３２が取り付けられている。
【００３６】
第４，５図の通り、基板Ａ，Ｄは、それぞれ、盤体１９を基板Ｂ，Ｅの盤体１０に突き合わせるようにして配置されている。また、基板Ｃ，Ｆは、それぞれ、第４，５図における上下の向きを基板Ａ，Ｄと逆にして、盤体１９を基板Ｂ，Ｅの盤体１６に突き合わせるようにして配置されている。
【００３７】
なお、基板Ａ，Ｄ同士の間、基板Ｂ，Ｅ同士の間及び基板Ｃ，Ｆ同士の間においては、それぞれ、床暖房マット１を展開したときに、これらの突き合わせ部ＴＬを挟んで、同じ符号の盤体１０〜１９の端辺同士が対向する。
【００３８】
この実施の形態では、基板Ｅの長辺方向の中間付近に位置する盤体１２の、基板Ｂと反対側の端部付近に、ヘッダー配置用の切欠き部１２ａ（第５図）が設けられている。基板Ｅの盤体１２，１３同士の間の連結部３１’は、一端側が該盤体１３に連なり、他端側がこの切欠き部１２ａに臨んでいる。この切欠き部１２ａ内に前記ヘッダー４が配置されている。第５図の符号１２ｂは、この切欠き部１２ａ内にヘッダー４を固定するためのスペーサを示している。
【００３９】
各盤体１０〜１９の上面には、それぞれ、４条の配管収容用の溝２が延設されている。
【００４０】
連結部３１によって連結された盤体１０〜１２同士の間、盤体１３〜１６同士の間、並びに盤体１７，１８同士の間においては、これらの溝２同士は該連結部３１を通って連続している。
【００４１】
この実施の形態では、第７，８図に示すように、基板Ｅの盤体１２においては、４条の溝２のうち、隣接する盤体１３に近い側の２本の溝２の基板Ｂ側の端部が、該盤体１２の該基板Ｂ側の端辺に臨んでいる。また、基板Ｅの盤体１３においては、４条の溝２のうち、隣接する盤体１２に近い側の２本の溝２の基板Ｂ側の端部が、該盤体１３の該基板Ｂ側の端辺に臨んでいる。
【００４２】
基板Ｅの盤体１２，１３の各溝２の基板Ｂと反対側の端部は、それぞれ、前記切欠き部１２ａに臨んでいる。
【００４３】
基板Ｂの盤体１２においても、４条の溝２のうち、隣接する盤体１３に近い側の２本の溝２の基板Ｅ側の端部が、該盤体１２の該基板Ｅ側の端辺に臨んでいる。また、基板Ｂの盤体１３においても、４条の溝２のうち、隣接する盤体１２に近い側の２本の溝２の基板Ｅ側の端部が、該盤体１３の該基板Ｅ側の端辺に臨んでいる。
【００４４】
床暖房マット１を展開した状態においては、基板Ｅの盤体１２，１３の端辺に臨む各溝２の端部と、基板Ｂの盤体１２，１３の端辺に臨む各溝２の端部とがそれぞれ対面する。これにより、これらの溝２が基板Ｂ，Ｅ同士の突き合わせ部ＴＬを跨いで基板Ｅから基板Ｂに連続して延在したものとなる。
【００４５】
この実施の形態では、基板Ｅの盤体１２，１３から基板Ｂの盤体１２，１３に連続する溝２は、各盤体１２，１３の端辺付近で円弧状に湾曲している。なお、この溝２の基板Ｅ側と、基板Ｂ側とは、互いに反対側に向って凸となる円弧形状を呈するように湾曲している。従って、床暖房マット１を展開した状態においては、この溝２は、基板Ｅから基板Ｂにかけて略Ｓ字形を呈するように連続する。
【００４６】
温水配管３は、この溝２に収容されるようにして、基板Ｂ，Ｅ同士の突き合わせ部ＴＬを跨いで該基板Ｅから基板Ｂに連続して引き回されている。
【００４７】
第９図に示すように、基板Ｂの盤体１０においては、各溝２の端部が、該盤体１０の基板Ａ側の長側辺に臨んでおり、且つこの長側辺に沿って延在している。また、この基板Ｂの盤体１０と隣接する基板Ａの盤体１９においては、各溝２の端部が、該盤体１９の基板Ｂ側の長側辺に臨んでおり、且つこの長側辺に沿って延在している。
【００４８】
床暖房マット１を展開した状態においては、基板Ｂの盤体１０の各溝２の端部と、基板Ａの盤体１９の各溝２の端部とがそれぞれ対面する。これにより、基板Ａ，Ｂ間においても、各溝２がこれらの突き合わせ部ＴＳを跨いで盤体１０から盤体１９に連続して延在したものとなる。
【００４９】
この基板Ａ，Ｂ間においては、各溝２の端部は盤体１０，１９の長側辺に沿って延在しているので、これらの溝２の端部同士が対面することにより、該基板Ａ，Ｂ同士の突き合わせ部ＴＳを跨ぎ、且つ該突き合わせ部ＴＳに沿って延在する溝２’（第９図）が形成される。なお、この基板Ａ，Ｂ間においても、各溝２は、該溝２’を介して盤体１０から盤体１９にかけて略Ｓ字形を呈するように連続する。
【００５０】
第９図の通り、盤体１０，１９の長側辺からの各溝２の端部の幅Ｗ１は、各溝２の他の部分の幅Ｗ２の半分かそれよりも若干大きなものとなっている。従って、これらの溝２の端部同士が対面することにより形成される溝２’の幅２Ｗ１は、各溝２の他の部分の幅Ｗ２と略同等の大きさとなる。
【００５１】
温水配管３は、この溝２’に収容されるようにして、基板Ａ，Ｂ同士の突き合わせ部ＴＳを跨いで該基板Ｂから基板Ａに連続して引き回されている。
【００５２】
詳しい図示は省略するが、基板Ｂの盤体１６と基板Ｃの盤体１９との間、基板Ｅの盤体１０と基板Ｄの盤体１９との間、並びに基板Ｅの盤体１６と基板Ｆの盤体１９との間にも、それぞれ、これらの基板同士の突き合わせ部ＴＳを跨ぎ、且つ該突き合わせ部ＴＳに沿って延在する溝２’が形成されており、この溝２’に収容されるようにして、それぞれ突き合わせ部ＴＳを跨いで一方の基板から他方の基板に連続して温水配管３が引き回されている。
【００５３】
第４図の通り、この実施の形態では、ヘッダー４から基板Ｅの盤体１２側と盤体１３側とに、それぞれ２系統の温水配管３が引き回されている。
【００５４】
ヘッダー４から基板Ｅの盤体１２側に引き回された２系統のうちの一方の温水配管３（第１の温調用配管）は、この基板Ｅの盤体１２から基板Ｂの盤体１２，１１，１０及び基板Ａの盤体１９，１８を経由して該基板Ａの盤体１７まで引き回され、次いで、この基板Ａの盤体１７から、再び該基板Ａの盤体１８，１９及び基板Ｂの盤体１０，１１，１２を経由して基板Ｅの盤体１２に戻り、終端がヘッダー４に接続されている。
【００５５】
また、ヘッダー４から基板Ｅの盤体１２側に引き回された他方の温水配管３（第３の温調用配管）は、この基板Ｅの盤体１２から該基板Ｅの盤体１１，１０及び基板Ｄの盤体１９，１８を経由して該基板Ｄの盤体１７まで引き回され、次いで、この基板Ｄの盤体１７から再び該基板Ｄの盤体１８，１９及び基板Ｅの盤体１０，１１を経由して該基板Ｅの盤体１２に戻り、終端がヘッダー４に接続されている。
【００５６】
ヘッダー４から基板Ｅの盤体１３側に引き回された２系統のうちの一方の温水配管３（第２の温調用配管）は、この基板Ｅの盤体１３から基板Ｂの盤体１３，１４，１５，１６及び基板Ｃの盤体１９，１８を経由して該基板Ｃの盤体１７まで引き回され、次いで、この基板Ｃの盤体１７から、再び該基板Ｃの盤体１８，１９及び基板Ｂの盤体１６，１５，１４，１３を経由して基板Ｅの盤体１３に戻り、終端がヘッダー４に接続されている。
【００５７】
ヘッダー４から基板Ｅの盤体１３側に引き回された他方の温水配管３（第４の温調用配管）は、この基板Ｅの盤体１３から該基板Ｅの盤体１４，１５，１６及び基板Ｆの盤体１９，１８を経由して該基板Ｆの盤体１７まで引き回され、次いで、この基板Ｆの盤体１７から再び該基板Ｆの盤体１８，１９及び基板Ｅの盤体１６，１５，１４を経由して該基板Ｅの盤体１３に戻り、終端がヘッダー４に接続されている。
【００５８】
温水配管３を溝２，２’に収容しつつこのように引き回した後、基板Ａ〜Ｃの上面を連続して覆うように均熱シート材５が配置され、この均熱シート材５が各基板Ａ〜Ｃの上面に接着剤等により貼り付けられている。この均熱シート材５により、基板Ａ，Ｂ同士及び基板Ｂ，Ｃ同士が連結されている。また、基板Ｄ〜Ｆの上面を連続して覆うように均熱シート材６が配置され、この均熱シート材６が各基板Ｄ〜Ｆの上面に接着剤等により貼り付けられている。この均熱シート材６により、基板Ｄ，Ｅ同士及び基板Ｅ，Ｆ同士が連結されている。
【００５９】
なお、このように各基板Ａ〜Ｃの上面に均熱シート材５を貼着することにより、基板Ａ〜Ｃを構成する盤体１０〜１９及びこれらの間の各小根太３０が連結される。各基板Ｄ〜Ｆの上面に均熱シート材６を貼着することにより、基板Ｄ〜Ｆを構成する盤体１０〜１９及びこれらの間の各小根太３０が連結される。
【００６０】
均熱シート材５，６の端部は、それぞれ、基板Ａ，Ｃ同士、基板Ｂ，Ｅ同士及び基板Ｃ，Ｆ同士の突き合わせ部ＴＬに臨んでおり、該突き合わせ部ＴＬにおいて、均熱シート材５，６同士は非連続となっている。
【００６１】
第３図に示すように、この実施の形態では、基板Ｅ，Ｂの上面のうち、各盤体１２，１３の突き合わせ部ＴＬ側の端辺付近には、それぞれ、均熱シート材５，６が貼着されていない配管露出部Ｌが存在している。図示の通り、基板Ｅの盤体１２，１３から基板Ｂの盤体１２，１３に連続する各溝２は、それぞれ、この配管露出部Ｌ内において円弧状に湾曲している。
【００６２】
この配管露出部Ｌ内においては、各温水配管３が、第８図のように溝２から引き出し可能である。
【００６３】
第７，８図の通り、各配管露出部Ｌ内において溝２を円弧状に湾曲させると、この溝２から温水配管３を引き出して基板Ｂ，Ｅ同士の間で伸ばしたときに、基板Ｂ，Ｅ同士が離隔し易くなる。
【００６４】
このように構成された床暖房マット１を折り畳む場合には、まず、第１１図のように、各配管露出部Ｌ内の温水配管３をそれぞれ溝２から引き出して、基板Ｂ，Ｅ同士を離隔させる。
【００６５】
次に、第１２図のように、基板Ａ，Ｂ間の均熱シート材５を、該基板Ａ，Ｂ同士の突き合わせ部ＴＳに沿って谷折りし、これらの基板Ａ，Ｂの上面（均熱シート材５）同士を対面させるようにして、該基板Ａを基板Ｂ上に折り重ねる。また、基板Ｂ，Ｃ間の均熱シート材５を、該基板Ｂ，Ｃ同士の突き合わせ部ＴＳに沿って谷折りし、これらの基板Ｂ，Ｃの上面（均熱シート材５）同士を対面させるようにして、該基板Ｃを基板Ｂ上に折り重ねる。
【００６６】
さらに、基板Ｄ，Ｅ間の均熱シート材６を、該基板Ｄ，Ｅ同士の突き合わせ部ＴＳに沿って谷折りし、これらの基板Ｄ，Ｅの上面（均熱シート材６）同士を対面させるようにして、該基板Ｄを基板Ｅ上に折り重ねる。また、基板Ｅ，Ｆ間の均熱シート材６を、該基板Ｅ，Ｆ同士の突き合わせ部ＴＳに沿って谷折りし、これらの基板Ｅ，Ｆの上面（均熱シート材６）同士を対面させるようにして、該基板Ｆを基板Ｂ上に折り重ねる。
【００６７】
第１３図は、このように基板Ａ，Ｃをそれぞれ基板Ｂ上に折り重ねると共に、基板Ｄ，Ｆをそれぞれ基板Ｅ上に折り重ねた後の、床暖房マット１の１次折り畳み体を示している。
【００６８】
この実施の形態では、各基板Ａ，Ｃの短辺の長さは、基板Ｂの長辺の長さの半分よりも短いので、これらの基板Ａ，Ｃは、互いに重なり合うことなく、それぞれ基板Ｂにのみ重なっている。また、各基板Ｄ，Ｆの短辺の長さも、基板Ｅの長辺の長さの半分よりも短いので、これらの基板Ｄ，Ｆも、互いに重なり合うことなく、それぞれ基板Ｅにのみ重なっている。
【００６９】
なお、この実施の形態では、前述の通り、温水配管３のうち、基板Ａ，Ｂ同士の突き合わせ部ＴＳを跨ぐ部分、基板Ｂ，Ｃ同士の突き合わせ部ＴＳを跨ぐ部分、基板Ｄ，Ｅ同士の突き合わせ部ＴＳを跨ぐ部分、並びに基板Ｅ，Ｆ同士の突き合わせ部ＴＳを跨ぐ部分が、それぞれ、これらの突き合わせ部ＴＳに沿って延在しているので、これらの突き合わせ部ＴＳに沿って基板Ａ，Ｂ間、基板Ｂ，Ｃ間、基板Ｄ，Ｅ間及び基板Ｅ，Ｆ間を谷折りした際には、第１０図（ａ）〜（ｃ）及び第１２図の通り、温水配管３は、これらの突き合わせ部ＴＳを跨ぐ部分がその軸心回りに捩れるようにして曲がる。
【００７０】
これにより、基板Ａ，Ｂ間、基板Ｂ，Ｃ間、基板Ｄ，Ｅ間及び基板Ｅ，Ｆ間の谷折りに伴い、温水配管３が座屈して破損することが防止される。
【００７１】
次に、第１４図に示すように、基板Ｂ，Ｅ同士の間の温水配管３を曲げて、これらの基板Ｂ，Ｅ間を谷折りし、基板Ｂ，Ｅの上面同士を対面させるようにして、基板Ｄ，Ｅ，Ｆの重ね合わせ体の上に基板Ａ，Ｂ，Ｃの重ね合わせ体を重ねる。これにより、第１図に示す床暖房マット１の折り畳み体が形成される。
【００７２】
なお、この実施の形態では、基板Ｂ，Ｅに跨って引き回された温水配管３をそれぞれ溝２から引き出し、基板Ｂ，Ｅ同士を離隔させているので、基板Ｂ，Ｅ間を谷折りしても、第２，１５図の通り、基板Ｂ，Ｅ間の温水配管３は、座屈せずに比較的緩やかに湾曲する。これにより、基板Ｂ，Ｅ間の谷折りに伴って温水配管３が座屈して破損することが防止される。
【００７３】
このようにして折り畳まれた床暖房マット１の折り畳み体を施工現場に搬入し、基板Ｅが最下層となるように床上に置き、基板Ａ，Ｂ，Ｃの３枚重ねのものを基板Ｂが床上に重なるように広げる。その後、基板Ａ，Ｃを基板Ｂ上から広げると共に、基板Ｄ，Ｆを基板Ｅ上から広げる。これにより、全ての基板Ａ〜Ｆが床上に敷設される。
【００７４】
全ての基板Ａ〜Ｆを広げた後、基板Ｂ，Ｅ間の温水配管３を、各配管露出部Ｌ内の溝２に収容する。その後、各配管露出部Ｌを覆うように、均熱シート材５ａ，６ａ（第３図）を貼り付ける。
【００７５】
この基板Ａ〜Ｆの展開に際しては、全て谷折りを解く方向に基板Ａ〜Ｆを広げるので、例えば各基板Ａ〜Ｆの裏に接着材又は粘着材を塗る度に各基板Ａ〜Ｆを広げるようにして施工することができる。これにより、床暖房マット１の敷設作業を効率よく行うことが可能となる。
【００７６】
この実施の形態では、基板Ｅの長辺方向の中央付近に温水供給用のヘッダー４を設け、このヘッダー４に連なる第１の温調用配管３を基板Ｅ，Ｂ，Ａに配設し、第２の温調用配管３を基板Ｅ，Ｂ，Ｃに配設し、第３の温調用配管３を基板Ｅ，Ｄに配設し、第４の温調用配管３を基板Ｅ，Ｆに配設している。そのため、各温水配管３の引き回しを容易に行うことができると共に、基板Ａ〜Ｆの全体にわたって温度を略均等にすることができる。
【００７７】
［材質等］
上記各部材の材質の一例として次のものが挙げられるが、これらに限定されるものではない。
【００７８】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００７９】
小根太としては、木材や、釘打ち可能な合成木材又は合成樹脂が好ましい。
【００８０】
均熱シート材としては、アルミ又は銅の金属箔が好ましい。
【００８１】
温水配管としては、可撓性のポリエチレン等の合成樹脂チューブや銅パイプが例示される。
【００８２】
［寸法等］
本発明においては、折り畳み体とされる温調マットの大きさに制限はないが、特に大型の温調マットを用いた場合に、本発明の作用効果が顕著に発揮される。
【００８３】
具体的には、本発明においては、温調マットの折り畳み体の上下の面に露呈する基板Ｂ，Ｅの一辺の長さが５００ｍｍ以上、特に８００ｍｍ以上であることが好ましい。
【００８４】
通常は、上記の実施の形態のように、温調マットのうち基板Ａ，Ｂ，Ｃから構成される部分と、基板Ｄ，Ｅ，Ｆから構成される部分とは、同一形状となっているが、これらが互いに異なる形状となっていてもよい。基板Ａ，Ｂ，Ｃ側と基板Ｄ，Ｅ，Ｆ側とを互いに異なる形状とする場合には、ヘッダーが配置される側（上記の実施の形態では基板Ｄ，Ｅ，Ｆ側）を、ヘッダーが配置されない側（上記の実施の形態では基板Ａ，Ｂ，Ｃ側）よりも大きくすることが好ましい。
【００８５】
これは、通常、温調マットを敷設する場合には、ヘッダーが配置されている側を下にして温調マットの折り畳み体を床上に置いて、この折り畳み体の展開作業を行うので、ヘッダーが配置されていない側、即ち折り畳み体を床上に置いたときに該折り畳み体の上側に位置し、先に展開される側を小さくしておくことにより、この折り畳み体の展開作業が容易になる場合があるからである。
【００８６】
［その他の構成］
上記の実施の形態は、いずれも本発明の一例を示すものであり、本発明は図示の構成に限定されない。
【００８７】
例えば、上記の実施の形態では、各基板Ａ〜Ｆは、複数の帯状の盤体と複数の小根太とを交互に配列してなるものであるが、各基板Ａ〜Ｂの構成はこれに限定されるものではない。本発明においては、小根太は省略されてもよい。
【００８８】
上記の実施の形態では、各基板Ａ，Ｃ，Ｄ，Ｆの短辺の長さは、基板Ｂ，Ｅの長辺の長さの半分よりも短いので、床暖房マット１を折り畳んだ状態にあっては、これらの基板Ａ，Ｃ同士及び基板Ｄ，Ｆ同士は、互いに重なり合うことなく、それぞれ基板Ｂ，Ｅにのみ重なっているが、本発明においては、各基板Ａ，Ｃ，Ｄ，Ｆの短辺の長さを基板Ｂ，Ｅの長辺の長さの半分よりも長くして、床暖房マット１を折り畳んだ状態において基板Ａ，Ｃ同士及び基板Ｄ，Ｆ同士が重なり合うように構成してもよい。
【００８９】
上記の実施の形態では温水配管３が直に各溝２内に収容されているが、各溝２の内面から各基板Ａ〜Ｆの上面にかけて熱伝導部材を配材し、温水配管３を、この熱伝導部材に接するように溝２内に収容するよう構成してもよい。このように構成することにより、温水配管３からの熱を、この熱伝導部材を介してより効率よく均熱シート材５，６に伝えることができる。
【００９０】
図示は省略するが、上記の実施の形態において、床暖房マット１０の各配管露出部Ｌに位置する温水配管３を保護するために、各配管露出部Ｌ、並びに床暖房マット１０の折り畳み時に各配管露出部Ｌの溝２から引き出された温水配管３を保護材で被覆しておいてもよい。この保護材の材質に特に制限はなく、例えば透明フィルム、低粘着フィルム、伸縮性フィルム等を用いることができる。また、この保護材により、各配管露出部Ｌ並びに各配管露出部Ｌの溝２から引き出された温水配管３の全部を被覆してもよく、これらのうちの一部を被覆してもよい。第２図のように床暖房マット１０を折り畳んだ後、この折り畳み体の基板Ｂ，Ｅの突き合わせ部ＴＬ側の端面を覆うように保護材を貼り付けて、各配管露出部Ｌ並びに各配管露出部Ｌの溝２から引き出された温水配管３をこの保護材で被覆するようにしてもよい。このような保護材で各配管露出部Ｌ並びに各配管露出部Ｌの溝２から引き出された温水配管３を被覆した場合には、床暖房マット１０を展開する前にこの保護材を剥離させればよい。
【００９１】
上記の実施の形態は、床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【図面の簡単な説明】
【００９２】
【図１】実施の形態に係る温調マットの折り畳み体としての床暖房マット１の折り畳み体の斜視図である。
【図２】図１のII側から見た床暖房マット１の折り畳み体の斜視図である。
【図３】床暖房マット１の展開時の斜視図である。
【図４】展開した床暖房マット１の上面図である。
【図５】展開した床暖房マット１の下面図である。
【図６】図５のVI−VI線に沿う断面図である。
【図７】床暖房マット１の上面の中央付近の拡大図である。
【図８】温水配管を配管収容用溝から引き出した状態における、床暖房マット１の上面の中央付近の拡大図である。
【図９】図４のIX部分の拡大図である。
【図１０】図９のＸ−Ｘ線に沿う断面図である。
【図１１】床暖房マット１の折り畳み途中時の斜視図である。
【図１２】床暖房マット１の折り畳み途中時の斜視図である。
【図１３】床暖房マット１の折り畳み途中時の斜視図である。
【図１４】床暖房マット１の折り畳み途中時の斜視図である。
【図１５】床暖房マット１の折り畳み途中時の斜視図である。
【符号の説明】
【００９３】
Ａ〜Ｆ  基板
Ｌ  配管露出部
ＴＬ，ＴＳ  突き合わせ部
１  床暖房マット
２  溝
３  温水配管
４  ヘッダー
５，６  均熱シート材
１０〜１９  盤体
３０  小根太
３１  連結部
【図１】
2008215701.tif 000003
【図２】
2008215701.tif 000004
【図３】
2008215701.tif 000005
【図４】
2008215701.tif 000006
【図５】
2008215701.tif 000007
【図６】
2008215701.tif 000008
【図７】
2008215701.tif 000009
【図８】
2008215701.tif 000010
【図９】
2008215701.tif 000011
【図１０】
2008215701.tif 000012
【図１１】
2008215701.tif 000013
【図１２】
2008215701.tif 000014
【図１３】
2008215701.tif 000015
【図１４】
2008215701.tif 000016
【図１５】
2008215701.tif 000017